(57)【要約】【課題】転写出口ガイド機構と転写紙との摩擦帯電による転写出口ガイド機構の表面電位もしくは帯電量の上昇を抑制し、後続の転写紙が転写出口ガイド機構上を搬送される際に、後続の転写材上のトナー画像の乱れを防止できる転写装置を提供する。【解決手段】転写出口ガイド部材３１の開口部３４に配置したノズル３３より、転写出口ガイド部材３１上を搬送される転写紙の裏面に向かって微量のエアーを吹付ける気体吐出機構Ａを転写出口ガイド板３０に備える。そして、微量のエアーを吹付けることで、ノズル３３の配置位置で、転写紙をわずかに浮かせた状態で下流の定着入口ガイド板５３へ搬送させる構成としている。【選択図】図２
2012185331.tif 000002
【特許請求の範囲】
【請求項１】
像担持体上に形成されたトナー画像を、転写材に転写する転写手段、及び転写出口ガイド機構を備えた転写装置において、
転写出口ガイド機構に開口部を設け、
上記開口部を通して下方からエアー（空気）を吐出させ、転写材を転写出口ガイド機構からわずかに浮かせるようにして搬送可能なことを特徴とする転写装置。
【請求項２】
像担持体上に形成されたトナー画像を、転写材に転写する転写手段、及び転写出口ガイド機構を備えた転写装置において、
転写出口ガイド機構と、その転写材搬送方向上流側の転写手段との隙間を通して下方からエアーを吐出させ、転写材を転写出口ガイド機構からわずかに浮かせるようにして搬送可能なことを特徴とする転写装置。
【請求項３】
請求項１又は２に記載の転写装置において、
転写出口ガイド機構の表面の電位もしくは帯電量を検知するセンサを有し、
検出値が所定値以上の場合にのみエアーを吐出させるとともに、エアーを吐出させる転写材搬送位置での転写材の有無に応じて、エアーの吐出と停止とを切り替えることを特徴とする転写装置。
【請求項４】
請求項３に記載の転写装置において、
エアー吐出時に検出された電位もしくは帯電量に合わせて、単位時間当たりのエアー吐出量を可変できることを特徴とする転写装置。
【請求項５】
請求項４に記載の転写装置において、
転写材のたわみ量を検知するたわみ量検知センサを設け、電位センサもしくは帯電量センサとの組合せで、単位時間当たりのエアー吐出量を制御することを特徴とする転写装置。
【請求項６】
転写装置として、請求項１乃至５のいずれか一に記載の転写装置を備えたことを特徴とする画像形成装置。
【発明の詳細な説明】
【技術分野】
【０００１】
本発明は、電子写真方式のプリンタ、ファクシミリ、複写機等の画像形成装置に用いられる、転写出口ガイド機構を備えた転写装置、及びこの転写装置を備えた画像形成装置に関するものである。
【背景技術】
【０００２】
従来から、感光体や中間転写ベルト等の像担持体に担持されたトナー画像を、用紙等の転写材（以下、転写紙という）に転写する転写装置において、トナー像が転写された後の転写紙を後続の装置に搬送する際に案内する転写出口ガイド機構として転写出口ガイド板を備えた転写装置が知られている。
【０００３】
例えば、図８に示すような転写装置２０が、従来から知られている。この転写装置２０は、潜像担持体である感光体ドラム１上に形成されたトナー画像を、転写ニップ部で転写紙に静電的に転写させる転写工程と、転写ベルト２２に静電吸着した転写紙を次工程に送り届ける搬送工程を備えている。そして、転写出口ガイド板３０に設けられた除電手段である除電針３２で転写紙への帯電を積極的に除電し、転写チリを防止することを目的とした除電工程も備えている。
【０００４】
転写工程ではバイアスローラ２６に高圧電源によって転写バイアスを印加することによってトナー像の転写紙への転写が行われる。転写紙は駆動ローラ２５と従動ローラ２４との間に掛けられた無端状の転写ベルト２２の回転によって搬送される。ここで、駆動ローラ２５と従動ローラ２４とは、それぞれ接地されて用いられている。なお、転写装置２０はカバーとしてケーシング２３で覆われている。
【０００５】
転写出口ガイド板３０は、除電部材である除電針３２と、転写出口ガイド部材３１と、ガイド板ホルダー３７とで構成されている。除電針３２は接地されており、感光体ドラム１と転写ベルト２２との転写ニップ部から転写出口ガイド板３０方向へと転写ベルト２２によって搬送された転写紙は、転写出口ガイド板３０に設けられた除電針３２で残留電荷が除去される。このようにして、転写出口ガイド板３０は、定着入口ガイド板５３や、定着ニップ部（不図示）へ進入した際の電荷の移動によるトナーの飛散や、その飛散したトナーを拾うことでの転写紙の汚れ等の、異常画像の発生を抑制する役割を果たす。そして、残留電荷が除去された転写紙は、定着装置（不図示）の定着入口ガイド板へと搬送されて定着されることとなる。
【発明の概要】
【発明が解決しようとする課題】
【０００６】
しかしながら、転写紙上に形成されているトナー画像は、転写紙が転写ニップ部を搬送される際、トナーと逆極性のバイアスを印加することでトナーが転写紙上に静電的に吸着されている。このため、転写出口ガイド板３０に設けた除電針３２の位置まで搬送されておらず、除電されていない転写紙の部分には残留電荷が残っている。このように残留電荷が残っている転写紙の部分は、転写出口ガイド板３０に貼り付き易く、図９に示すように、転写紙と転写出口ガイド部材３１とが密着し、その接触面積が増えてしまう場合がある。また、抵抗が高く転写出口ガイド部材３１への静電的な貼り付きが強い紙種を通紙した際や、低温低湿環境で転写紙の含水分が低く、転写紙の転写出口ガイド部材３１への貼り付きが強まる環境下でも、図９に示すように転写紙と転写出口ガイド部材３１とが密着し接触面積が増えてしまう場合がある。これらのように、接触面積が増えてしまうと、転写出口ガイド部材３１の表面が転写材との摩擦により帯電しやすくなるため、転写出口ガイド部材３１の表面電位もしくは帯電量が上昇してしまう。転写出口ガイド部材３１の表面電位が上昇してしまうと、未定着トナーが乗った後続紙が通過する際に異常放電を起こし、静電的に吸着されたトナーが動くトナー画像の乱れを起こす場合があった。
【０００７】
従来は、転写紙と転写出口ガイド板との摩擦帯電に起因した後続紙のトナー画像の乱れに関する検討が不十分であった。このトナー画像の乱れを抑制するためには、転写紙と転写出口ガイド板との接触面積が増えることを抑制する必要がある。しかし、上記接触面積の増加を抑制するために、転写紙と転写出口ガイド板とを、単に離間させる構成では、転写紙と転写出口ガイド板に設けた除電部材との適切な離間距離を保てず、除電不良を起こしてしまう。したがって、転写紙と転写出口ガイド板との摩擦帯電に起因したトナー画像の乱れを抑制する構成においても、転写紙と除電部材とを適切な離間距離に保つ必要がある。
【０００８】
転写紙と除電部材とを適切な離間距離に保ちつつ、転写紙と転写出口ガイド板との接触面積を減らすには、転写紙を転写出口ガイド板から僅かに離間させた状態で搬送できれば理想的である。しかし、転写紙の先端が転写出口ガイド板を通過して後続の定着装置の定着入口ガイド板や定着ニップ部に進入した際に転写紙にたわみが生じるため、転写紙搬送方向の転写紙と転写出口ガイド板との距離は変動し易い。さらに、転写紙の用紙種別や厚さ等により生じるたわみ量も異なる。このように転写紙と転写出口ガイド板との距離が変動し易いため、転写紙を転写出口ガイド板から僅かに離間させた状態で搬送することは、従来の構成では困難であると考えられた。
【０００９】
なお、転写紙（記録媒体）搬送経路中の所定の位置で、エアー（気体）を吹付ける点が後述する本発明と共通する発明が特許文献１に記載されている。しかし、この文献の発明でエアーを吹付ける目的は、複数の回転体ニップ部に挟持搬送される転写紙を、このニップ部にエアーを吹付けることで回転体から分離するためであり、エアーを吹付ける箇所も異なる。そして、本発明で課題とする不具合である、転写紙との摩擦帯電による転写出口ガイド板の表面電位の上昇に起因した、後続紙のトナー画像の乱れに関しては一切記載も示唆もされていない。
【００１０】
本発明は以上の問題点に鑑みなされたものであり、その目的は、除電不良を起こすことなく、転写材との摩擦帯電による転写出口ガイド機構の表面電位の上昇を抑制し、後続の転写材が転写出口ガイド機構上を搬送される際に、後続の転写材上のトナー画像の乱れを防止できる転写装置を提供することである。
【課題を解決するための手段】
【００１１】
上記目的を達成するために、請求項１に記載の転写装置は、像担持体上に形成されたトナー画像を、転写材に転写する転写手段、及び転写出口ガイド機構を備えた転写装置において、転写出口ガイド機構に開口部を設け、上記開口部を通して下方からエアー（空気）を吐出させ、転写材を転写出口ガイド機構からわずかに浮かせるようにして搬送可能なことを特徴とするものである。
また、請求項２に記載の転写装置は、像担持体上に形成されたトナー画像を、転写材に転写する転写手段、及び転写出口ガイド機構を備えた転写装置において、転写出口ガイド機構と、その転写材搬送方向上流側の転写手段との隙間を通して下方からエアーを吐出させ、転写材を転写出口ガイド機構からわずかに浮かせるようにして搬送可能なことを特徴とするものである。
また、請求項３に記載の転写装置は、請求項１又は２に記載の転写装置において、転写出口ガイド機構の表面の電位もしくは帯電量を検知するセンサを有し、検出値が所定値以上の場合にのみエアーを吐出させるとともに、エアーを吐出させる転写材搬送位置での転写材の有無に応じて、エアーの吐出と停止とを切り替えることを特徴とするものである。
また、請求項４に記載の転写装置は、請求項３に記載の転写装置において、エアー吐出時に検出された電位もしくは帯電量に合わせて、単位時間当たりのエアー吐出量を可変できることを特徴とするものである。
また、請求項５に記載の転写装置は、請求項４に記載の転写装置において、転写材のたわみ量を検知するたわみ量検知センサを設け、電位センサもしくは帯電量センサとの組合せで、単位時間当たりのエアー吐出量を制御することを特徴とするものである。
また、請求項６に記載の画像形成装置は、転写装置として、請求項１乃至５のいずれか一に記載の転写装置を備えたことを特徴とするものである。
本発明は、転写出口ガイド機構上を搬送される転写材に、その下方からエアーを吐出させて、転写出口ガイド機構からわずかに浮かせるようにして転写材を搬送することができる。このように搬送することで、転写紙と除電部材とを適切な離間距離に保ちつつ、転写材と転写出口ガイド機構とが密着することを防止できる。したがって、除電不良を起こすことなく、転写材と転写出口ガイド機構との接触面積が増えることを抑制することができる。
【発明の効果】
【００１２】
本発明は、除電不良を起こすことなく、転写材と転写出口ガイド機構との接触面積が増えることを抑制することができる。よって、転写紙と転写出口ガイド機構との摩擦帯電による転写出口ガイド機構の表面電位の上昇を抑制し、後続の転写紙が転写出口ガイド機構上を搬送される際に、後続の転写紙上のトナー画像の乱れを防止できる転写装置を提供できる。
【図面の簡単な説明】
【００１３】
【図１】実施形態に係る複写機の全体概略図。
【図２】実施例１に係る転写装置の概要説明図。
【図３】転写出口ガイド部材の説明図。
【図４】実施例１に係る転写装置の気体吐出機構の他の配置例の説明図。
【図５】実施例２に係る転写装置の説明図。
【図６】転写出口ガイド部材の表面電位もしくは帯電量の検出値とエアー吐出量制御の関係を示したグラフ。
【図７】実施例３に係る転写装置の説明図。
【図８】従来の転写装置の概要説明図。
【図９】従来の転写装置の転写出口ガイド板の説明図。
【発明を実施するための形態】
【００１４】
以下、本発明を、画像形成装置としての電子写真方式の複写機（以下、単に複写機という）に適用した一実施形態について、実施例を挙げて説明する。まず、本実施形態の複写機に概要について、図を用いて説明する。図１は、本実施形態に係る複写機の全体概略図である。
【００１５】
この複写機には、図１に示すように装置本体１００内に潜像担持体である感光体ドラム１が設けられている。感光体ドラム１の周りには、帯電装置２、現像装置３、転写装置２０、クリーニング装置４、除電装置５などの作像機器が配設されている。また、クリーニング装置４の図中左側には定着装置５０が配設されている。装置本体１００の上部には、原稿読取装置３００が設けられている。また、原稿読取装置３００には、その上面に設置されているコンタクトガラス７を覆うように、自動原稿給紙装置８が開閉自在に取り付けられている。一方、装置本体１００の下部には、両面ユニット６７が配置されている。装置本体１００は、給紙テーブル２００上に載置されている。給紙テーブル２００内には、複数の給紙カセット６０が多段に装備されている。各給紙カセット６０には、給紙ローラ６１が対応して設けられている。それぞれの給紙ローラ６１は、対応する給紙カセット６０から繰り出した転写媒体である転写紙等を、搬送路６２に搬送する。
【００１６】
次に、この複写機のコピー動作について説明する。まず、コピー原稿を、自動原稿給紙装置８にセット、あるいはコンタクトガラス７上にセットする。セット後、操作画面上のスタートスイッチ（不図示）が押すと、セットされた原稿の画像情報が、原稿読取装置３００により画素単位で読み取られる。この原稿読取動作に呼応して、予め選択された給紙カセット６０内の転写紙が、対応する給紙ローラ６１の回転により搬送路６２に搬送される。搬送路６２に搬送された転写紙は、給紙路６３を経て、レジストローラ６４に突き当てられて一旦停止される。この一旦停止された転写紙は、レジストローラ６４が感光体ドラム１の回転に合せて所定のタイミングで回転することにより、感光体ドラム１の下方へ送り込まれる。
【００１７】
また、原稿読取動作に呼応して、感光体ドラム１が所定方向に回転する。この感光体ドラム１の回転に伴って、まず、感光体ドラム１の表面が帯電装置２により一様に帯電される。次いで、原稿読取装置３００により読み取られた原稿の画像情報に応じたレーザ光Ｌが、レーザ書込み装置６により感光体ドラム１の表面に照射される。これにより、感光体ドラム１の表面に原稿画像に相応した静電潜像が形成される。この静電潜像は、現像装置３から供給される現像剤中のトナーにより可視像（トナー画像）化される。この感光体ドラム１上に形成されたトナー画像は、レジストローラ６４の回転により感光体ドラム１の下方へ送り込まれた転写紙上に、転写装置２０により転写される。このトナー画像の転写工程で、転写紙上に転写されずに感光体ドラム１の表面に残留したトナーは、クリーニング装置４により、感光体ドラム１の表面から除去される。また、この転写工程後の感光体ドラム１の表面に残留した電荷は、除電装置５により除電される。
【００１８】
転写工程でトナー像を転写された転写紙は、転写装置２０により定着装置５０に搬送される。そして、この定着装置５０により、転写工程で転写されたトナー画像が転写紙上に定着される。トナー画像が定着された転写紙は、排紙路６５を通って機外の排紙トレイ（不図示）上に排出される。ここで、このトナー画像が定着されたシートの裏面にもトナー画像を形成する場合には、片面にトナー画像が形成された後の転写紙は、反転路６６を通って、両面ユニット６７に送り込まれる。この両面ユニット６７に送り込まれた転写紙は、その表裏が反転されてレジストローラ６４に送られて一旦停止される。この表裏が反転された転写紙は、片面へのコピー時と同様に、その裏面にトナー画像が転写・定着された後、排紙路６５を通って機外の排紙トレイ上に排出される。
【００１９】
次に、本実施形態の特徴部である転写装置２０について、実施例を挙げて説明する。
【００２０】
（実施例１）
まず、本実施形態の第１の実施例である実施例１について、図を用いて説明する。図２は、本実施例に係る転写装置２０の概要説明図、図３は、転写出口ガイド板の説明図、図４は、気体吐出機構の他の配置例の説明図である。
【００２１】
図２に示すように、本実施例の転写装置２０は、潜像担持体である感光体ドラム１と、駆動ローラ２５及び従動ローラ２４に架張された転写・搬送手段である転写ベルト２２とで、転写ニップ部を形成している。また、転写ベルト２２の転写紙搬送方向下流側には、転写ベルト２２に静電吸着された転写紙を除電し、さらに下流側の定着装置５０の定着入口ガイド板５３まで案内する転写出口ガイド機構である、転写出口ガイド板３０を備えている。また、この転写装置２０はカバーであるケーシング２３で、下方から覆われている。
【００２２】
この転写装置２０の工程は、転写工程と、搬送工程と、除電工程とで構成されている。転写工程では、像担持体である感光体ドラム１と、駆動ローラ２５および従動ローラ２４に伸張された転写ベルト２２の裏面よりトナーと逆極性のバイアスを高圧電源２７よりバイアスローラ２６を介して印加する。そして、感光体ドラム１の潜像に吸着されたトナー像を転写紙上に転写する。搬送工程では、転写ベルト２２に静電吸着した転写紙を転写出口ガイド板３０および定着入口ガイド板５３を介して定着装置５０（不図示）に送り届ける。
【００２３】
そして、除電工程に係る転写出口ガイド板３０には、除電針３２と転写出口ガイド部材３１とで構成されている。除電針３２は接地されており、感光体ドラム１と転写ベルト２２とのニップ部から転写出口ガイド板３０方向へと転写ベルト２２によって搬送された転写紙は、転写出口ガイド板３０にある除電針３２で残留電荷が除去される。そして、定着入口ガイド板５３や定着装置５０の定着ニップ部へ進入した際の電荷の移動によるトナーの飛散や、その飛散したトナーを拾う事での転写紙の汚れ等の、異常画像の発生を防ぐ役割を持つ。
【００２４】
ここで、従来の転写装置の構成では、図９に示すように転写紙と転写出口ガイド部材３１とが密着し接触面積が増えることで、転写出口ガイド部材３１の表面が摩擦により帯電しやすくなる。このため、未定着トナーが乗った後続紙が通過する際に異常放電を起こし、トナー像の乱れ（以下、接触による転写チリという）が起きる場合があった。
【００２５】
これを解決する手段として、本実施例では、転写出口ガイド板３０の内部に気体吐出機構Ａを設けることとした。この気体吐出機構Ａは、転写出口ガイド部材３１の開口部３４に配置したノズル３３より、転写出口ガイド部材３１上を搬送される転写紙の裏面に向かって微量のエアーを吹付けるものである。微量のエアーを吹付けることで、ノズル３３の配置位置で、転写紙をわずかに浮かせた状態で下流の定着入口ガイド板５３へ搬送させる構成としている。このように転写紙を搬送することで、転写紙と除電針３２とを適切な離間距離に保ちつつ、転写紙と転写出口ガイド部材３１表面とが密着することを防止できる。したがって、除電不良を起こすことなく、転写材と転写出口ガイド部材３１との接触面積が増えることを抑制することができる。よって、除電不良を起こすことなく、転写紙と転写出口ガイド部材３１との摩擦帯電による転写出口ガイド部材３１の表面電位の上昇を抑し、後続紙の接触による転写チリの発生を防止することが可能である。
【００２６】
図３に示すように、ノズル３３は、開口部３４の用紙幅方向に複数配置され、エアーポンプ（不図示）より転写装置周辺の空気を送り込み、各ノズル３３より均等に吐出する構成になっている。吐出量に決まりはないが、転写紙の搬送性を損なわずに摩擦帯電を軽減させるため、０．５〜１Ｌ／ｍｉｎとするのが望ましい。
【００２７】
このように構成することで、転写出口ガイド部材３１上を搬送される転写紙の裏面に向かって気体吐出機構Ａのノズル３３より微量のエアーを吹付け、転写紙を浮かせた状態とすることができる。つまり、ノズル３３の配置位置で、転写出口ガイド部材３１と転写紙とを所定距離だけ離間させた状態とすることができる。このような状態の転写紙を、下流側の定着入口ガイド板５３へ搬送させることで、転写紙と転写出口ガイド部材３１との摩擦帯電による転写出口ガイド部材３１の表面電位の上昇を抑えられる。このため、後続紙の接触による転写チリの発生を防止する事が可能である。
【００２８】
また、気体吐出機構Ａの構成は上記構成に限定されるものではなく、例えば、次のように構成してもよい。図４に示すように、気体吐出機構Ａを構成するノズル３３の先端を、駆動ローラ２５に接した転写ベルト２２と転写出口ガイド部材３１との間の隙間に配置することでも、転写出口ガイド部材３１の上流側で起こる摩擦帯電を抑えれる。これは、転写出口ガイド部材３１と転写ベルト２２との間の気体吐出機構Ａを設けた位置で、吐出させるエアーにより転写出口ガイド部材３１表面を含む平面と転写紙との距離を所定距離だけ離間させることができるためである。このことで、気体吐出機構Ａを設けた側の転写出口ガイド部材３１表面と転写紙との距離を所定距離だけ離間させることができる。したがって、転写出口ガイド部材３１表面と転写紙とが密着し、転写出口ガイド部材３１と転写材との接触面積が増えることを抑制することができる。また、転写出口ガイド部材３１の搬送面の構成は従来の構成と変わらないため、転写紙の搬送性を損なうこともない。
【００２９】
（実施例２）
次に、本実施形態の第２の実施例である実施例２について、図を用いて説明する。図５は、本実施例に係る転写装置の説明図である。
【００３０】
本実施例の転写装置２０と、実施例１の転写装置２０とでは、次の点のみが異なる。本実施例の転写装置２０が、表面電位もしくは帯電量を検知するセンサ４３と、主にエアー量制御回路で構成された制御回路４２とを備え、気体吐出機構Ａを制御することに関わる点である。その他の構成・動作に関わる点は上述した実施例１の転写装置２０と同様であるので、同様な点は適宜省略して説明する。
【００３１】
図５に示すように、本実施例の転写装置２０は、転写出口ガイド部材３１の表面電位もしくは帯電量を検知するセンサ４３と、主にエアー量制御回路で構成された制御回路４２を備えている。そして、制御回路４２は、センサ４３より、転写出口ガイド部材３１の表面電位もしくは帯電量を検知し、検出された値が所定値以上である場合にのみエアーポンプ４１を稼動させる制御を行う。ここで、制御回路４２は、エアーポンプ４１の稼動時には、転写紙搬送方向の気体吐出機構Ａのノズル３３の位置での転写紙の有無に応じてエアーの吐出と停止を切り替える動作指令を出す。また、転写出口ガイド部材３１への転写紙の貼りつきが少ない場合、つまり、転写出口ガイド部材３１の表面電位もしくは帯電量が所定値未満の場合にはエアー吐出を行わない。
【００３２】
このように、制御回路４２により、気体吐出機構Ａのエアー吐出を制御すことで、静電的特性の異なるいずれの転写紙においても、その貼り付きやすさに応じて転写紙と転写出口ガイド部材３１表面との、距離を最適に保つことができる。つまり、制御回路４２の上述した制御により、転写出口ガイド部材３１への貼り付きやすさを左右する静電的特性の異なるいずれの転写紙でも、転写出口ガイド部材３１表面との、転写紙搬送方向のセンサ４３位置での距離を最適に保てる。
【００３３】
（実施例３）
次に、本実施形態の第３の実施例である実施例３について、図を用いて説明する。図６は、転写出口ガイド部材の表面電位もしくは帯電量の検出値とエアー吐出量制御の関係を示したグラフである。
【００３４】
本実施例の転写装置２０と、実施例２の転写装置２０とでは、次の点のみが異なる。本実施例の転写装置２０における制御回路４２が、表面電位もしくは帯電量を検知するセンサ４３で検知された値に応じて、気体吐出機構Ａの単位時間当たりの吐出量を調整する点である。その他の構成・動作に関わる点は上述した実施例２の転写装置２０と同様であるので、同様な点は適宜省略して説明する。
【００３５】
本実施例の転写装置２０における制御回路４２では、図６のグラフに示すように、エアー吐出時に、例えばセンサ４３により検出される電位に応じて、単位時間当たりの吐出量を０．５〜１Ｌ／ｍｉｎの間で可変とする。このことで、実施例２の構成よりも、より多様な転写紙、環境、紙サイズの違いに対応できる。
【００３６】
（実施例４）
次に、本実施形態の第４の実施例である実施例４について、図を用いて説明する。図７は、本実施例に係る転写装置の説明図である。
【００３７】
本実施例の転写装置２０と、実施例３の転写装置２０とでは、次の点のみが異なる。本実施例の転写装置２０が、表面電位もしくは帯電量を検知するセンサ４３に加え、転写紙のたわみ量を検知するたわみ量センサ４４を備え、気体吐出機構Ａを制御することに関わる点である。その他の構成・動作に関わる点は上述した実施例３の転写装置２０と同様であるので、同様な点は適宜省略して説明する。
【００３８】
転写紙の転写出口ガイド板３０への貼り付きに影響する特性としては、転写紙の静電的特性の他に、転写紙の腰の強さがあり、腰の弱い転写紙は搬送時のたわみ量が大きく、転写出口ガイド板３０へ貼り付きやすいと考えられる。そこで、本実施例の転写装置２０では、図７に示すように、転写出口ガイド部材３１の表面電位もしくは帯電量を検知するセンサ４３に加え、転写紙のたわみを検知するたわみ量センサ４４（詳細は省略）を備えることとした。
【００３９】
そして、制御回路４２により、センサ４３で検知した転写出口ガイド部材３１の表面電位もしくは帯電量と、たわみ量センサ４４で検知した転写紙のたわみ量の値とを組み合わせて、エアーポンプ４１の単位時間当たりの吐出量を制御する。このことで、静電特性や腰の異なるいずれの転写紙においても、転写出口ガイド部材３１との、転写紙搬送方向のセンサ４３、及びたわみ量センサ４４位置での距離を最適に保てる。
【００４０】
また、本実施形態の説明では、転写ベルト２２を備えた転写装置２０について説明したが、本発明は、転写ベルト２２を備えた転写装置２０に限定されるものではなく、転写ベルトを備えていない転写装置にも適用可能である。
【００４１】
本実施形態の画像形成装置である複写機の転写装置２０では、次のような作用・効果を奏することができる。転写出口ガイド板３０上を搬送される転写紙の下方からエアーを吐出させる気体吐出機構Ａを転写出口ガイド部材３１の開口部３４に備えているので、転写紙を転写出口ガイド板３０からわずかに浮かせるようにして搬送可能である。このように転写紙を搬送することで、転写紙と除電針３２とを適切な離間距離に保ちつつ、転写紙と転写出口ガイド部材３１表面とが密着することを防止できる。したがって、除電不良を起こすことなく、転写材と転写出口ガイド部材３１との接触面積が増えることを抑制することができる。よって、除電不良を起こすことなく、転写紙と転写出口ガイド部材３１との摩擦帯電による転写出口ガイド板の表面電位の上昇を抑制し、後続の転写紙が転写出口ガイド板３０上を搬送される際に、後続の転写紙上のトナー画像の乱れを防止できる転写装置を提供できる。
また、本実施形態の画像形成装置である複写機の転写装置２０では、次のような作用・効果を奏することができる。転写出口ガイド板３０上を搬送される転写紙の下方からエアーを吐出させる気体吐出機構Ａを、転写出口ガイド部材３１と、転写手段を構成する転写ベルト２２との隙間に備えている。このように気体吐出機構Ａを備えることで、転写材を転写出口ガイド板３０からわずかに浮かせるようにして搬送可能である。このように転写紙を搬送することで、転写紙と転写出口ガイド部材３１表面とが密着することを防止できる。したがって、転写材と転写出口ガイド部材３１との接触面積が増えることを抑制することができる。また、転写出口ガイド部材３１の搬送面の構成は従来の構成と変わらないため、転写紙の搬送性を損なうこともない。よって、転写紙の搬送性を損なうことなく、転写出口ガイド部材３１と転写紙との摩擦帯電による転写出口ガイド板の表面電位の上昇を抑制し、後続の転写紙が転写出口ガイド板３０上を搬送される際に、後続の転写紙上のトナー画像の乱れを防止できる転写装置を提供できる。
また、本実施形態の画像形成装置である複写機の転写装置２０では、次のような作用・効果を奏することができる。転写装置２０は、転写出口ガイド部材３１の表面電位もしくは帯電量を検知するセンサ４３と、制御回路４２とを備えているので、転写出口ガイド部材３１表面への転写紙の貼り付きやすさに応じて、気体吐出機構Ａを制御できる。具体的には、制御回路４２では、センサ４３より、転写出口ガイド部材３１の表面電位もしくは帯電量を検知し、検出された値が所定値以上である場合にのみエアーポンプ４１を稼動させる制御を行う。そして、転写ガイド部材への貼りつきが少ない場合、つまり検出された値が所定値未満の場合には、エアー吐出を行わない制御とする。このように制御回路４２で気体吐出機構Ａを制御することで、静電的特性の異なるいずれの転写紙においても、その貼り付きやすさに応じて転写紙と転写出口ガイド部材３１表面との、距離を最適に保つことができる。
また、本実施形態の画像形成装置である複写機の転写装置２０では、次のような作用・効果を奏することができる。転写出口ガイド部材３１の表面電位もしくは帯電量を検知するセンサ４３で検知した値に応じて、気体吐出機構Ａの単位時間当たりの吐出量を可変できるので、より多様な転写紙、環境、紙サイズの違いに対応できる。例えば、検出される電位もしくは帯電量の値に応じて、気体吐出機構Ａの単位時間当たりの吐出量を０．５〜１Ｌ／ｍｉｎの間で可変とすることで、多様な転写紙、環境、紙サイズの違いに対応可能である。
また、本実施形態の画像形成装置である複写機の転写装置２０では、次のような作用・効果を奏することができる。表面電位もしくは帯電量を検知するセンサ４３に加え、転写紙のたわみ量を検知するたわみ量センサ４４を備えている。そして、センサ４３の検知値と、たわみ量センサ４４で検知したたわみ量とを組み合わせて気体吐出機構Ａを制御するので、静電特性や腰の異なるいずれの転写紙においても転写出口ガイド板との距離を最適に保つことができる。
また、本実施形態の画像形成装置である複写機では、転写装置として、上述したいずれか一の転写装置をそなえることで、備える転写装置と同様な作用効果を奏することができる。
【符号の説明】
【００４２】
１    感光体ドラム
２    帯電装置
３    現像装置
４    クリーニング装置
５    除電装置
２０    転写装置
２２    転写ベルト
２３    ケーシング
２４    従動ローラ
２５    駆動ローラ
２６    バイアスローラ
２７    高圧電源
３０    転写出口ガイド板
３１    転写出口ガイド部材
３２    除電針
３３    ノズル
３４    開口部
３７    ガイド板ホルダー
４１    エアーポンプ
４２    制御回路
４３    センサ
４４    たわみ量センサ
５０    定着装置
５３    定着入口ガイド板
１００    装置本体
【先行技術文献】
【特許文献】
【００４３】
【特許文献１】特開２００９−２７１１１５号公報
【図１】
2012185331.tif 000003
【図２】
2012185331.tif 000004
【図３】
2012185331.tif 000005
【図４】
2012185331.tif 000006
【図５】
2012185331.tif 000007
【図６】
2012185331.tif 000008
【図７】
2012185331.tif 000009
【図８】
2012185331.tif 000010
【図９】
2012185331.tif 000011